(57)【要約】【課題】  本発明は、撮像者がスムーズに撮影処理が行えるデジタルカメラを提供することを目的とする。【構成】  絞り部材を駆動する絞り駆動部４５と、結像された被写体像を画像信号に変換する撮像部４０と、前記画像信号に基づいて画像データを作成する画像処理部４１と、前記画像データを一時的に記憶する第一記憶部４７と、第一記憶部４７に記憶された画像データを再生する表示部５３と、被写体像光束を観察する観察光学系の光路上に配置され、画像表示部５３による再生画像を前記観察光学系の被写体像光束に重畳可能とする重畳部材と、絞り駆動部４５により、前記撮像レンズの絞り部材を所定の設定値まで駆動した状態で撮像部４０により撮像された画像信号を基に作成された画像データを表示部５３に表示させる制御部３０を具備する。【選択図】図５
2006245826.tif 000002
【特許請求の範囲】
【請求項１】
撮像レンズの絞り部材を駆動する絞り駆動部と、
前記撮像レンズからの被写体像を観察する観察光学系と、
前記撮像レンズにより結像された被写体像を画像信号に変換する撮像部と、
前記画像信号に基づいて画像データを作成する画像処理部と、
前記画像データを一時的に記憶する第一記憶部と、
前記第一記憶部に記憶された前記画像データを記憶する第二記憶部と、
前記第一記憶部に記憶された画像データを再生する表示部と、
前記観察光学系の光路上に配置され、前記画像表示部による再生画像を前記観察光学系の被写体像光束に重畳可能とする重畳部材と、
前記絞り駆動部により、前記撮像レンズの絞り部材を所定の設定値まで駆動した状態で前記撮像部により撮像された画像信号を基に作成された画像データを前記表示部に表示させる制御部とを持つことを特徴とするデジタルカメラ。
【請求項２】
請求項１に記載のデジタルカメラにおいて、前記制御部は、前記表示部に画像データを表示する際に、前記画像データを連続的に前記表示部に表示する動画像として前記表示部に表示させることを特徴とするデジタルカメラ。
【請求項３】
請求項１又は２に記載のデジタルカメラにおいて、前記画像処理部は、前記観察光学系を介して観察される被写体像と、前記画像表示部により表示された画像データを前記重畳手段により重畳することにより観察される被写体像との大きさが同じとなるように前記画像データを処理することを特徴とするデジタルカメラ。
【請求項４】
被写体を撮像する撮像部と、
前記被写体を光学的に観察する観察光学系と、
前記撮像部の出力に基づいて被写体像を表示する表示部と、
前記観察光学系の光路上に配置され、前記表示部による再生画像を前記観察光学系の被写体像光束に重畳可能とする重畳部材と、
前記表示部による表示を開始するプレビュー釦と、
前記プレビュー釦の操作に応じて、前記観察光学系による被写体像の光学的観察と、前記観察光学系による前記重畳部材により重畳された前記再生画像の観察とを切り換える制御部とをもつことを特徴とするデジタルカメラ。
【請求項５】
請求項４に記載のデジタルカメラはさらに、撮像レンズの絞り部材を駆動する絞り駆動部を具備し、前記制御部は、前記絞り駆動部により、前記撮像レンズの絞り部材を所定の設定値まで駆動した状態で前記撮像部により撮像された画像信号を基に作成された画像データを前記表示部に表示させることを特徴とするデジタルカメラ。
【発明の詳細な説明】
【技術分野】
【０００１】
本発明は、観察光学系を具備するカメラに関する。
【背景技術】
【０００２】
一眼レフカメラでは、撮影レンズに入射して電子撮像素子に至る撮像光束を遮る位置に反射ミラーが配置され、反射された撮影像をペンタプリズムを介し正立正像としてカメラ後方に導き、接眼レンズにより観察する光学ファインダが備わっている。また、この光学ファインダを用いることで、いわゆるプレビューを行うことができる。
【０００３】
一方、近年提案されているデジタルカメラにおいては、前記反射ミラーを撮影光束上から退避位置に移動させて撮像素子に被写体像を結像させる状態にすることで、撮像素子から出力される信号により画像表示装置に表示させ、被写体の撮影画像のプレビューを行うことが可能なカメラがある（例えば特許文献１）。
【特許文献１】特開平２００１−１２５１７３
【発明の開示】
【発明が解決しようとする課題】
【０００４】
しかし、上記特許文献１においては、撮像素子により撮像した被写体画像をカメラの背面に配置された表示部に表示するため、撮影者がファインダを覗きながら行っている撮影動作を中断し、ファインダから目を離してカメラ背面の表示部を視認可能な位置まで目を移動させることが必要となるため構図が不用意に変更されたり、シャッターチャンスを逃す等の問題を生じる。
【０００５】
本発明は、撮像者がスムーズに撮影処理が行えるデジタルカメラを提供することを目的とする。
【課題を解決するための手段】
【０００６】
上記問題点を解決するために、本発明におけるデジタルカメラは、撮像レンズの絞り部材を駆動する絞り駆動部と、前記撮像レンズからの被写体像を観察する観察光学系と、前記撮像レンズにより結像された被写体像を画像信号に変換する撮像部と、
前記画像信号に基づいて画像データを作成する画像処理部と、前記画像データを一時的に記憶する第一記憶部と、前記第一記憶部に記憶された前記画像データを記憶する第二記憶部と、前記第一記憶部に記憶された画像データを再生する表示部と、前記観察光学系の光路上に配置され、前記画像表示部による再生画像を前記観察光学系の被写体像光束に重畳可能とする重畳部材と、前記絞り駆動部により、前記撮像レンズの絞り部材を所定の設定値まで駆動した状態で前記撮像部により撮像された画像信号を基に作成された画像データを前記表示部に表示させる制御部とを具備する。
【０００７】
さらに上記問題点を解決するために、本発明におけるデジタルカメラは、被写体を撮像する撮像部と、前記被写体を光学的に観察する観察光学系と、前記撮像部の出力に基づいて被写体像を表示する表示部と、前記観察光学系の光路上に配置され、前記表示部による再生画像を前記観察光学系の被写体像光束に重畳可能とする重畳部材と、前記表示部による表示を開始するプレビュー釦と、前記プレビュー釦の操作に応じて、前記観察光学系による被写体像の光学的観察と、前記観察光学系による前記重畳部材により重畳された前記再生画像の観察とを切り換える制御部とを具備する。
【発明の効果】
【０００８】
本発明を適用したデジタルカメラでは、撮影者によりスムーズに撮影動作が行える。
【発明を実施するための最良の形態】
【０００９】
以下、本発明の実施の形態について図面を参照しつつ説明する。
＜構成＞
本発明の第一の実施の形態におけるデジタルカメラ１の斜視図を図１に、正面図を図２に示す。
【００１０】
デジタルカメラ１は、カメラボディ１０と交換レンズ２とが着脱可能な、レンズ交換式一眼レフデジタルカメラである。カメラボディ１０上面にはレリーズ釦１１、上面液晶１２、撮影モードダイヤル１３が、背面にはファインダ窓１５、コマンドダイヤル１６、十字キー１７、背面液晶１８が、正面にはプレビュー釦１４がそれぞれ配置されている。レリーズ釦１１は、半押操作によってSW１がONになり、さらに全押操作することによりSW２がONになる周知の複合スイッチである。上面液晶１２は、絞り値やシャッタースピード等の撮像条件等を表示する液晶表示部材である。撮影モードダイヤル１３は、プログラムモード（Pモード）、シャッター優先モード（Sモード）、絞り優先モード（Aモード）、マニュアルモード（Mモード）等の撮像設定値を算出する露出演算モードを選択するための回転式ダイヤルスイッチである。プレビュー釦１４は、半押操作によりSW３がONになり、さらに全押操作することによりSW４がONになる複合スイッチである。コマンドダイヤル１６は、絞り値やシャッター速度等を変更するための、回転式ダイヤルスイッチである。十字キー１７は上下左右の４方向に電気接点を持つ周知の複合スイッチである。背面液晶１８は、液晶表示部であり、メニュー表示画像や撮像済み画像等を表示する。
【００１１】
デジタルカメラ１の断面図を図３に示す。不図示の被写体からの被写体像光束は、交換レンズ２の撮像レンズ２a、絞り２ｂを通してクイックリターンミラー２１で反射されフォーカシングスクリーン２２に結像する。
【００１２】
フォーカシングスクリーン２２に結像された被写体像は、ペンタプリズム２３、重畳部材１００、接眼光学系２４を介してファインダ窓１５より撮影者の眼で正立像として観察される。なおデジタルカメラ１において、ファインダ窓１５より観察される被写体像の視野率（光学ビューファインダ（以下ＯＶＦと称す）の視野率）は９５％である。重畳部材１００については後述する。また、撮影者がレリーズ釦１１を全押操作することによってクイックリターンミラー２１が撮影光学系の光軸から退避し、交換レンズ２を通過した被写体像光束が撮像素子部２５に結像される。なお、上述ではペンタプリズム２３を用いてフォーカシングスクリーン２２に結像した被写体像を正立像に変換したが、被写体像を正立像に変換する部材はこれに限るものではなく、複数枚のミラーを用いて正立像に変換する光学系を用いても良い。
【００１３】
ペンタプリズム２３の被写体像光束射出面上方部には、測光レンズ２６aと測光センサー２６ｂから構成される測光装置２６が配置されている。測光装置２６では被写体像の輝度を測定する。絞り駆動装置２７は、交換レンズ２と電気的又は機械的に接続され、交換レンズ２の絞り２ｂの開閉動作を制御する。
【００１４】
＜重畳部材＞
重畳部材１００の断面図を図４に示す。重畳部材１００は、接眼光学系２５の光軸ＩＰに略垂直な一対の平面１０１ａ、１０１ｂと、平面１０１ａ、１０１ｂに略垂直な平面１０１ｃとからなる平行平面光学部材１０１、ファインダ内表示用液晶１０２、１／４波長板１０３、反射集光部材１０４等から構成されている。平面１０１ｃにはファインダ内表示用液晶１０２が配置されている。ファインダ内表示用液晶１０２は液晶１０２aおよびバックライト１０２ｂから構成される液晶表示部材である。ファインダ内表示用液晶１０２には、デジタルプレビュー画像、撮影済みの被写体画像、メニュー画像、撮影データ等の画像が表示される。バックライト１０２ｂから照射された光は液晶１０２aを透過し平面１０１ｃに入射する。なお、ファインダ内表示装置１０２としては画像等が表示可能であれば良く、液晶表示装置に限られるものではい。例えば、有機ＥＬを用いた表示装置等のフラットパネルディスプレイや走査型表示装置等でも良い。
【００１５】
平行平面光学部材１０１には、ペンタプリズム２４透過後の被写体像光束の光軸ＩＰとファインダ内表示用液晶１０２からの表示画像光束の射出光軸ＩＳとに対し、それぞれ略４５度の傾きをなして偏光ビームスプリッタ（以後、ＰＢＳと記す）１０１ｄが平面１０１a、１０１ｂの間に設けられている。なお、ファインダ内表示用液晶１０２から射出される表示画像光束はＰＢＳ１０１ｄで反射されるように偏光方向が調整されている。平行平面光学部材１０１の被写体像光束入射面である平面１０１aには、平面１０１aと平行に１／４波長板１０３、反射集光部材１０４が配置され、被写体像光束が反射集光部１０４、１／４波長板１０３、平行平面部材１０１の順に重畳部材１００を透過するように配置されている。
【００１６】
ファインダ内表示用液晶１０２から射出された表示画像光束は、ＰＢＳ１０１ｄにより、ペンタプリズム２４側へ反射される。反射された光は、ペンタプリズム２４側の平面１０１ａ上に配置された１／４波長板１０３に入射および透過し、反射集光部材１０４に入射する。反射集光部材１０４は、凹面鏡の役割も果たすホログラムである。反射集光部材１０４に入射した表示画像光束は、ＰＢＳ１０１ｄ側に反射される。ＰＢＳ１０１ｄ側に反射された光は、再び１／４波長板１０３に入射および透過し、ＰＢＳ１０１ｄに入射する。１／４波長板１０３を２度透過した表示画像光束は、ファインダ内表示用液晶１０２を射出した際と比べ、偏光方向が９０度回転しているため、ＰＢＳ１０１ｄを透過する。ＰＢＳ１０１ｄを透過した表示画像光束は、接眼光学系２５を介して接眼ファインダ２６から観察される。上述したように、被写体像光束と、ファインダ内表示用液晶１０２からの表示画像光束とを重畳部材１００により重畳することにより同一接眼ファインダ２６により観察可能となる。なお、ペンタプリズム２４透過後の被写体像光束の光軸ＩＰと、ファインダ内表示用液晶１０２からの表示画像光束の射出光軸ＩＳとは略直交するように構成されている。また、１／４波長板１０３と反射集光部材１０４は、観察光学系１の光路中の光に対して略透明な部材で構成されており、撮像レンズからの被写体光束の劣化はほとんど生じない構成としている。
【００１７】
また、重畳装置１００は、重畳装置１００の上方にある測光装置２６等を避け縦方向に配置される。
なお上述では、光学ビューファインダーに画像を重畳させる重畳手段として重畳装置１００をもちいたが、重畳手段はこれに限るものではない。例えば、ハーフミラーやプリズム等を用いた重畳手段でも良い。
【００１８】
＜ブロック図＞
本実施の形態におけるデジタルカメラ１のブロック図を図５に示す。
撮像部４０、画像処理部４１、測光部４２、露出演算部４３、ミラー駆動部４４、絞り駆動部４５、ＲＯＭ４６、ＲＡＭ４７、ＥＥＰＲＯＭ４８、外部記憶媒体４９、タイマー装置５０、背面表示部５１、上面表示部５２、ファインダ内表示部５３、操作部５４は、レリーズ釦１１、およびプレビュー釦１４は、制御部３０に接続され制御されている。
【００１９】
撮像部４０は、撮像素子２５等を含み、撮像素子２５より光電変換された被写体画像信号を出力する。画像処理部４１では、被写体画像信号より、記録用画像データやサムネイル用画像データの他に、適宜表示用画像データ等が作成される。表示用画像データとしては、背面表示部５１に表示される背面表示用画像データや、ファインダ内表示部５３に表示されるファインダ内表示用画像データが必要に応じて作成される。背面表示用画像データは、撮影直後に背面液晶１８により表示される。ファインダ内表示用画像データは、後述するデジタルプレビュー処理の際にファインダ内表示用液晶１０２に表示される。なお、記録用画像データは、撮影データ等と共に外部記憶媒体４９等に保存される。
【００２０】
測光部４２は、測光装置２６等を含み、被写体像の輝度値を算出する。露出演算部４３は、測光部４２により算出された輝度値や、露出補正値等のカメラ設定値等を基に、撮像時にデジタルカメラ１が用いる絞り値、シャッター速度等の撮像設定値を算出する。算出された撮像設定値はＲＡＭ４７やＥＥＰＲＯＭ４８等に記憶される。ミラー駆動部４４は、制御部３０の指令に基づきクイックリターンミラー２１を駆動し、撮像レンズ光軸に配置され該光軸に斜設されたミラーダウン状態と撮像レンズ光軸から退避したミラーアップ状態を切り換える。絞り駆動部４５は、絞り駆動装置２７等を含み、制御部３０の指令に基づき交換レンズ２の絞り２ｂを開閉駆動する。ＲＯＭ４６は、デジタルカメラ１の動作に必要なプログラム、該プログラムに使用する初期値等が保存されている。ＲＡＭ４７は、制御部３０、画像処理部４１、露出演算部４３等の処理の際にデータの一時的記憶に利用される。ＥＥＰＲＯＭ４８は、カメラの電源がＯＦＦされても記録情報を保持するフラッシュメモリであり、カメラのユーザー設定、カスタム設定等の情報を記録する。外部記憶媒体４９は、着脱可能なメモリーカード等の記憶媒体である。タイマー装置５０は、後述する第一タイマーと第二タイマーを含む。背面表示部５１は、背面液晶１８やドライバ等を含み、撮像済み画像やメニュー画像等を表示する。上面表示部５２は、上面液晶１２やドライバ等を含み、絞り値やシャッター速度等の撮像設定値等が表示される。ファインダ内表示部５３は、ファインダ内表示用液晶１０２やドライバ等を含み、プレビュー画像や撮像済み画像、メニュー画面等が表示される。操作部５４は、撮影モードダイヤル１３やコマンドダイヤル１６、十字キー１７等のデジタルカメラ１を操作するための操作部材である。
【００２１】
＜デジタルカメラの処理の流れ＞
本実施の形態におけるデジタルカメラ１の動作の流れについて説明する。
本実施の形態におけるデジタルカメラ１は、ユーザーが設定した撮像処理条件により撮像動作及び撮像画像の処理を行う撮影モード、背面液晶１８に表示されたメニュー画面を見ながら各種機能の設定を行うメニューモード、背面液晶１８に撮影済みの画像を表示させる画像表示モード等の動作モードを持つ。なお、メニューモード、画像表示モードでの処理は周知の処理であるため説明を省く。
【００２２】
＜撮影モード処理＞
以下本発明を適用したプレビュー処理が行われる撮影モードでの処理について説明する。
【００２３】
撮影モードでは、レリーズ釦１１の半押操作（SW１オン）又は、プレビュー釦１４の半押操作（ＳＷ３オン）により、測光部４２からの出力された被写体輝度値等を基に露出演算部４３は、露出演算モードに応じて絞り値やシャッター速度等を算出する。露出演算モードがＰモードの際は、露出演算部４３は、被写体輝度値を基に絞り値およびシャッター速度値を算出する。露出演算モードがＳモードの際は、露出演算部４３は、被写体輝度値および設定されているシャッター速度値を基に絞り値を算出する。露出演算モードがＡモードの際は、露出演算部４３は、被写体輝度値および設定されている絞り値を基にシャッター速度値を算出する。露出演算モードがＭモードの際は、絞り値およびシャッター速度値はユーザーにより任意に設定されている。上述した算出または設定されている絞り値およびシャッター速度値は撮像設定値としてＲＡＭ４７に記憶される。
【００２４】
なお、プレビュー釦１４が半押操作（ＳＷ３オン）された場合は、プレビュー処理が行われる。プレビュー処理については後述する。
レリーズ釦１１の該半押操作（ＳＷ１オン）に続いてレリーズ釦１１が全押操作（ＳＷ２オン）されると、撮像設定値に基づき撮像処理が行われる。撮像処理では、撮像部４０により出力された被写体画像信号が、画像処理部４１により処理される。撮像部４０より出力された被写体画像信号は、A/D変換等の処理が行われた後にRAM４７に画像データとして記憶される。画像処理部４１は、該画像データを基に、補間処理、リサイズ、圧縮処理等を行い、記録用画像データやサムネイル用画像データ、背面表示用画像データ等を適宜作成し、RAM４７に記憶する。背面表示用画像データは、撮影直後に撮影画像を確認する設定（以下、撮像画像確認設定と称する）がＯＮされている際に、背面液晶１８により表示される。なお、後述する撮像モードのフローでは、撮像画像確認設定がＯＮされている状態で説明する。RAM４７に記憶されている、記録用画像データは、サムネイル用データ、撮像時の撮像条件等のデータと共に画像ファイルとして外部記憶媒体４９等に記録される。
【００２５】
＜デジタルカメラの基本フロー＞
デジタルカメラ１の基本処理の流れについて図６に示したフロー図を用いて説明する。
デジタルカメラ１の電源がＯＮされるとステップＳ１では起動処理が行われる。起動処理では制御部３０や撮像素子部４０等の電気回路装置の起動処理等が行われる。次にステップＳ２でデジタルカメラ１の電源ＯＦＦ処理が行われたか否かの判定が行われる。電源ＯＦＦ操作がされた場合はステップＳ３へ移り、電源ＯＦＦ操作がされていない場合はステップＳ４へ移る。ステップＳ３では電気回路装置等の終了処理が行われ電源がＯＦＦされる。ステップＳ４では現在の動作モードが撮影モードか否かの判定が行われる。現在の動作モードが撮影モードである場合はステップＳ５の撮影モードサブルーチンへ移り、現在のモードが撮影モードでない場合はステップＳ６へ移る。ステップＳ６では現在の動作モードがメニューモードであるか否かが判定される。現在の撮影モードがメニューモードである場合はステップＳ７のメニューモード処理へ移り、現在の撮影モードがメニューモードでない場合はステップＳ８の画像表示処理へ移る。ステップＳ５での撮影モード処理、ステップＳ７でのメニューモード処理、ステップＳ８での画像表示モード処理が終了するとステップＳ２へ戻る。
【００２６】
＜撮影モード処理の流れ＞
デジタルカメラ１の撮影モード処理の流れについて図７に示すフロー図を用いて説明する。
【００２７】
撮影モードサブルーチンに入るとステップＳ１０で第一タイマーの計時を開始する。なお第一タイマーは所定時間計時した後ＯＦＦされる。次にステップＳ１１で第一タイマーがＯＮされている（計時中）か否かの判定が行われる。第一タイマーがＯＮされている場合はステップＳ１５へ移り、第一タイマーがＯＮされていない場合はステップＳ１２へ移る。ステップＳ１２ではレリーズ釦１１が半押操作（ＳＷ１がＯＮ）されているか否かの判定が行われる。レリーズ釦１１が半押操作されている場合はステップＳ１３へ移り、レリーズ釦１１が半押操作されていない場合はステップＳ１４へ移る。ステップＳ１３では第一タイマーの計時を開始してステップＳ１５へ移る。なお、すでにタイマーが計時中である場合は該計時をリセットして改めて計時を開始する。ステップＳ１４ではプレビュー釦１４が半押操作（ＳＷ３がＯＮ）されているか否かの判定が行われる。プレビュー釦１４が半押操作されている場合はステップＳ１５へ移り、プレビュー釦１４が半押操作されていない場合はステップＳ１１へ戻る。
【００２８】
ステップＳ１５では測光部４２により被写体輝度を検出する。次にステップＳ１６では、露出演算部４３がステップＳ１５で検出した被写体輝度値や露出演算モード等を基に適宜絞り値やシャッター速度値を算出し、算出又は設定されている絞り値、シャッター速度を撮像設定値としてＲＡＭ４７に記憶する。
【００２９】
次にステップＳ１７でプレビュー釦１４が半押操作（ＳＷ３がＯＮ）されているか否かの判定が行われる。プレビュー釦１４が半押操作されている場合はステップＳ１８へ移り、プレビュー釦１４が半押操作されていない場合はステップＳ１９へ移る。ステップＳ１８のプレビュー処理サブルーチンではプレビュー処理が行われる。プレビュー処理サブルーチンについては後述する。プレビュー処理サブルーチンが終了するとステップＳ１１へ戻る。ステップＳ１９ではレリーズ釦１１が全押操作（ＳＷ２がＯＮ）されているか否かについて判定が行われる。レリーズ釦１１が全押操作されている場合はステップＳ２０へ移り、レリーズ釦１１が全押操作されていない場合はステップＳ１１へ戻る。
【００３０】
＜撮像処理＞
ステップS２０での撮影処理サブルーチンについて図８に示すフロー図を用いて説明する。
【００３１】
撮像処理サブルーチンに移ると、ステップＳ３０で、ミラー駆動部４４によりミラーダウン状態にあるクイックリターンミラー２１をミラーアップ状態に駆動する。次にステップＳ３１で、絞り駆動部４５の駆動により交換レンズ２の絞り２ｂをＲＡＭ４７に記憶されている撮像設定値の絞り値に設定する。ステップＳ３２では、撮像部４０は、撮像設定値として設定されているシャッター速度値に応じて被写体像光束を受光蓄積した後、被写体画像信号を出力する。ステップＳ３３では出力された被写体画像信号に種々の処理を行い背面表示用画像データや記録用画像データ等を作成し、RAM４７に一時記憶する。ステップＳ３４では、ステップＳ３３でRAM４７に記憶された記録用画像データを外部記憶媒体４９に記憶する。ステップＳ３５では絞り駆動部４５により交換レンズ２の絞り２ｂを開放状態に駆動する。ステップＳ３６では、ミラー駆動部４４によりミラーアップ状態にあるクイックリターンミラー２１をミラーダウン状態に駆動し、撮像処理サブルーチンを終了する。撮像処理サブルーチンが終了すると撮像モードサブルーチンのステップＳ２１へ移る。
【００３２】
撮像モードサブルーチンの説明に戻る。
ステップＳ２１では第二タイマーの計時が開始される。なお第二タイマーは所定時間計時した後にＯＦＦされる。次にステップＳ２２で撮像処理サブルーチンのステップＳ３３で作成された背面表示用画像データを背面液晶１８への表示を開始する。ステップＳ２３では、レリーズ釦１１が半押操作（ＳＷ１がＯＮ）されたか否かの判定が行われる。レリーズ釦１１が半押操作された場合はステップＳ２４へ移り、レリーズ釦１１が半押操作されていない場合はステップＳ２５へ移る、ステップＳ２５では第二タイマーがＯＮされている（計時中）か否かの判定が行われる。第二タイマーがＯＮされている場合はステップＳ２６へ移り、第二タイマーがＯＮされていない場合はステップＳ２４へ移る。ステップＳ２６では動作モードが変更される又は電源ＯＦＦ操作がされたか否かの判定が行われる。動作モードが変更される又は電源ＯＦＦ操作がされた場合は撮影モードサブルーチンを終了し、動作モードが変更又は電源ＯＦＦ操作がされていない場合はステップＳ２３へ戻る。ステップＳ２４では、ステップＳ２２で背面液晶１８に表示を開始した表示用画像の表示を停止しステップＳ１１へ戻る。
【００３３】
＜プレビュー処理＞
本発明を適用したデジタルカメラ１では、プレビュー釦１４を半押操作（ＳＷ３オン）することにより光学プレビューがおこなわれ、さらにプレビュー釦１４を全押操作（ＳＷ４オン）することによりデジタルプレビューが行われる。
【００３４】
光学プレビューでは、撮像設定値としてＲＡＭ４７に記憶されている絞り値を読み出し、絞り駆動部４５により交換レンズ２の絞り２ｂを該絞り値になるよう駆動する。なお、光学プレビューの際は、ファインダ内表示用液晶１０２の表示はＯＦＦされているため、ファインダ窓１５からは、ファインダ内表示用液晶１０２の表示光は重畳されずに被写体像からの光学像が観察可能となる。光学プレビューでは、ユーザーはファインダ窓１５より実際の絞り値での被写体像を観察することにより被写界深度等を確認可能となる。しかし、絞りを実際の撮像設定値に設定されている絞り値に絞るため、設定絞り値（Ｆ値）が大きくなるにつれ、ファインダ窓１５から観察される被写体象は暗くなる。
【００３５】
デジタルプレビューでは、クイックリターンミラー２１がミラーアップされ、ＲＡＭ４７に記憶されている絞り値およびシャッター速度、露出補正値等の撮像設定値を基に撮像される。プレビュー撮像処理では、撮像部４０より出力された被写体画像信号は、A/D変換等の処理が行われた後にRAM４７に画像データとして記憶される。画像処理部４１は、該画像データを基に、補間処理、リサイズ、圧縮処理等を適宜行い、ファインダ内表示用液晶１０２に表示するファインダ内表示用画像データを作成し、RAM４７に一時的に記憶される。
【００３６】
ＲＡＭ４７から読み出されたファインダ内表示用画像データは、ファインダ内表示用液晶１０２に表示され、重畳部材１００により、接眼光学系２５の光軸Ｉpと重畳されることにより、ファインダ窓１５より観察される。なお、デジタルプレビューでは、上記のごとくクイックリターンミラー２１がミラーアップすることにより、ファインダスクリーン２２が遮光される。そのためファインダ窓１５からは、ファインダ内表示用液晶１０２からの表示に被写体像からの光学像は重畳されない。デジタルプレビューにより、ユーザーは、被写界深度に加え、さらに現在設定されている撮像設定による露出の適正も確認可能となり、また、被写体が暗く光学ファインダでの確認が困難な場合であっても、デジタルプレビューにより設定される撮像設定値を基に撮像され、ファインダ内表示用液晶１０２に表示するファインダ内表示用画像データが作成されるため、被写界深度の確認に加え、さらに露出や被写体のブレ量、手ブレ量等の確認も可能となる。
【００３７】
なお、上記デジタルプレビューの際に行われるプレビュー撮像処理では、上述した撮像処理サブルーチンで行われる撮像処理とは異なる処理が行われる。プレビュー撮像処理では、外部記憶媒体４９に記憶するための記憶用画像データは作成されない。そのためファインダ内表示用液晶にすばやくファインダ内表示用画像（プレビュー撮像画像）を表示できる。また、プレビュー撮像処理の際は、撮像部４０は、撮像素子２５に蓄積した電気信号を間引き読み出しして画像信号を出力するとしても良い。これにより、高速にファインダ内表示用液晶にすばやくプレビュー撮像画像を表示できる。この場合、ファインダ内表示用液晶１０２での表示に適したサイズになる様に間引き読み出しを行いファインダ内表示用画像を作成するとしても良い。
【００３８】
＜ファインダ表示用液晶へのプレビュー画像の表示＞
上述したように、デジタルプレビュー時には実際の絞り値、シャッター速度等の撮像条件で撮像し、ファインダ内表示部にプレビュー画像が表示される。撮像素子２５により撮像される被写体像領域を図９aに示す。
【００３９】
本実施の形態におけるデジタルカメラ１は、ＯＦＶ視野率が９５％のため、図９aに示す撮像被写体像領域６０（１００％）のうち、ＯＶＦ視野領域６１内の被写体像がＯＶＦより観察される。図９aで示した撮像被写体像領域６０をＯＦＶで観察した様子を図９ｂに示す。なお図９ｂに破線で示す領域は、重畳装置１００によりＯＶＦ光路に重畳されたファインダ内表示液晶１０２に表示された画像が表示されるファインダ内表示領域６２を示す。ファインダ内表示液晶１０２により表示された被写体画像がファインダ内表示領域６２に表示された様子を図９ｃ、図９ｄに示す。
【００４０】
図示のごとく、ファインダ窓１５から観察した像は、ＯＶＦで被写体像を観察した場合と（図９ｂ）、プレビュー撮像処理により撮像された撮像画像（図９aの撮像被写体領域６０内の被写体像画像）を重畳装置１００により重畳表示した場合（図９ｃ）とで被写体像の表示画角が異なる。
【００４１】
そのためデジタルプレビューの際にプレビュー撮像処理により得たファインダ内表示用画像を、ファインダ内表示用液晶１０２の表示領域６２に表示する全表示モードと、ＯＶＦ視野枠６１に表示される被写体像とファインダ内表示領域６２に表示される撮像画像の被写体像との倍率が同じとなる様に撮像画像をトリミングしファインダ内表示領域６２に表示するトリミング表示モードとが選択可能である。全表示モードでの撮像画像表示の様子を図９ｃ、トリミングモードの際の撮像画像の表示の様子を図９ｄに示す。全表示モードとトリミング表示モードとはメニューモードの際のメニュー処理によりユーザーが選択可能である。
【００４２】
上述の全表示モードでのデジタルプレビュー表示により、ＯＶＦ視野率が１００％でないデジタルカメラであっても被写界深度、露出の確認に加え、１００％の撮像領域が確認可能となる。また、上述のトリミング表示モードでのデジタルプレビュー表示により、実際に撮像される被写体像領域（６０）とＯＶＦで表示される被写体像領域（６１）とが異なるデジタルカメラであっても、ＯＶＦ表示領域に表示される被写体像と、ファインダ表示領域６２に表示される撮像画像の被写体像との倍率が同じになる様にプレビュー撮像処理により得た撮像画像をトリミングして表示するため、光学プレビューとデジタルプレビューとを切換えて被写界深度や露出の確認等を行う際に違和感が少ない。
【００４３】
また、プレビュー撮像処理により撮像された画像信号を画像処理部４１で処理する際に、白とび又は黒つぶれしている画像領域を検出しても良い。この場合、ファインダ内表示用液晶１０２によりプレビュー画像を表示す際に、上記検出した白とび又は黒つぶれしている画像領域を点滅表示させる。これにより、ユーザーはデジタルプレビューで被写界深度や露出に加え、白とび又は黒つぶれ領域を確認することができる。
【００４４】
＜プレビュー処理の流れ＞
プレビュー処理の流れについて図１０に示すフロー図を用いて説明する。
プレビュー処理に移るとステップＳ４０で、ＲＡＭ４７に撮像処理設定値として記憶されている絞り値を読み出し、絞り駆動部４４により交換レンズ２の絞り２ｂを該絞り値になるよう駆動する。次にステップＳ４１で、プレビュー釦１４が半押操作（ＳＷ３がオン）されているか否かの判定が行われる。プレビュー釦１４が半押操作されている場合はステップＳ４３へ移り、プレビュー釦１４が半押操作されていない場合はステップＳ４２へ移る。ステップＳ４２では、絞り駆動部４５により交換レンズ２の絞り２ｂを開放状態に駆動する。ステップS４３では、プレビュー釦１４が全押操作（ＳW4がオン）されているか否かの判定が行われる。プレビュー釦１４が全押操作されている場合はステップＳ４４へ移り、プレビュー釦１４が全押操作されていない場合はステップＳ４１へ戻る。ステップＳ４４では、ミラー駆動部４４によりミラーダウン状態にあるクイックリターンミラー２１をミラーアップ状態に駆動する。次にステップＳ４５では、撮像部４０は、撮像設定値として設定されているシャッター速度値に応じて被写体像光束を受光蓄積した後、ステップＳ４６で、被写体画像信号を読み出し出力する。ステップＳ４７では出力された被写体画像信号に、ファインダ内表示用液晶１０２に表示するための画像形式への変換処理やファインダ内表示用液晶１０２の表示サイズにあわせるためのリサイズ等の処理等を行いファインダ内表示用画像データを作成する。作成された画像データはRAM４７に一時記憶される。なお、デジタルプレビュー表示のモードが上述したトリミング表示モードに設定されている際にはステップＳ４７での処理の際に、ＯＶＦ表示領域に表示される被写体像と、ファインダ表示領域６２に表示される撮像画像の被写体像との倍率が同じになる様にプレビュー撮像処理により得た撮像画像をトリミングするトリミング処理も行われる。
【００４５】
ステップＳ４８では、ステップＳ４８でRAM４７に記憶されたファインダ内表示用画像データの、ファインダ内表示用液晶１０２への表示を開始する。ステップＳ４９では、プレビュー釦１４が全押操作（ＳW4がオン）されているか否かの判定が行われる。プレビュー釦１４が全押操作（ＳW4がオン）されている場合は待機し、プレビュー釦１４が全押操作されていない（ＳＷ４がＯＦＦされた）場合はステップＳ５０へ戻る。ステップ５０では、ファインダ内表示液晶１０２の表示をＯＦＦし、ステップＳ５１でミラー駆動部４４によりミラーアップ状態にあるクイックリターンミラー２１をミラーダウン状態に駆動してステップＳ４１へ戻る。
【００４６】
なお、上述ではデジタルプレビューの際に、撮像設定値としてＲＡＭ４７に記憶されている絞り値およびシャッター速度値によりプレビュー撮像処理を行ったが、これに限るものではない。撮像設定値として所定時間より長いシャッター速度値が設定されている際には、該所定時間のシャッター速度値で撮像処理を行い、撮像設定値として設定されているシャッター速度値と絞り値とで得られる露出と同等の露出となるように撮像部４０又は画像処理部４１の処理の際に、撮像画像信号（撮像画像データ）のゲインアップ等の処理を行っても良い。例えば所定時間が１/３０秒で、設定されているシャッター速度値が１/１５秒であった場合は、プレビュー撮像処理時の撮像露光は１/３０秒で撮像され、撮像部４０又は画像処理部４１の処理の際に、撮像画像信号（撮像画像データ）が２倍にゲインアップ（例えば感度を２倍にして処理する）されプレビュー画像が作成される。これにより、撮像設定として設定されているシャッター速度値が長い場合であっても、プレビュー撮像時にかかる撮像時間が短くなり素早くプレビュー画像を表示できる。また、プレビュー撮像では、撮像設定値として設定されているシャッター速度値に係らず所定のシャッター速度値で撮像し、撮像設定値として設定されているシャッター速度値と絞り値とで得られる露出と同等の露出となるように撮像部４０又は画像処理部４１の処理の際に、撮像画像信号（撮像画像データ）のゲインアップ等の処理を行うとしても良い。これにより、常にプレビュー撮像時にかかる撮像時間が短くなり素早くプレビュー画像を表示できる。
【００４７】
＜変形例＞
以上、本発明を適用した１実施の形態を説明したが、本発明はこれに限るものでは無い。以下変化例について説明する。
【００４８】
デジタルプレビューの際にプレビュー画像として動画像を表示してもよい。デジタルプレビュー時のプレビュー画像として動画像を表示する際のプレビュー処理および処理の流れを図１１のフロー図を用いて説明する。
【００４９】
なお、プレビュー処理においても図１０で説明したプレビュー処理での処理と同じ処理には同じ番号を付し説明は略す。ステップＳ４０〜Ｓ４４を処理した後、ステップＳ６０で、表示する動画像のフレームレートに応じたシャッター速度値で被写体像を露光し、ステップＳ６１で露光蓄積した被写体像画像信号を読み出す。ステップＳ６２では、ファインダ表示用液晶１０２に表示するために被写体画像信号に種々の処理を行いファインダ内表示用画像データを作成する。なお、撮像設定値として設定されているシャッター速度と絞り値とで得られる露出と同等の露出となるように、撮像部４０又は画像処理部４１の処理の際に、撮像画像信号（ファインダ内表示用画像）のゲインアップ等の処理を行う。次にステップＳ６３でファインダ内表示用画像をファインダ内表示用液晶１０２に表示する。ステップＳ６４では、プレビュー釦１４が全押操作（ＳＷ４がオン）されているか否かの判定が行われ、プレビューボタン１４が全押操作されている場合はステップＳ６０へ戻り、プレビュー釦１４が全押操作されていない場合はステップＳ５０へ移る。なお、ステップＳ６０〜ステップＳ６４のループは、動画像のフレームレートに合わせてプレビュー釦１４が全押操作されている間行われる。上記の動画像によるデジタルプレビューにより、ユーザーは被写界深度や露出等の確認を行いながら被写体構図の変更、確認も行うことができる。また、被写体が暗く光学ファインダでの確認が困難な場合であっても、デジタルプレビューにより被写界深度や露出等の確認を行いながら被写体構図の変更、確認も可能である。
【００５０】
また、クイックリターンミラー２１の代わりにハーフミラーを用いてもよい。この場合は、デジタルプレビューの際に、フォーカシングスクリーン２２に結像された被写体像と、被写体像を撮像して得たファインダ内表示用画像とを重畳させる。重畳させるファインダ内表示用画像は上述したトリミング表示での処理と同様に処理され作成される。また、ファインダ窓１５から観察される重畳後の被写体像が、撮像設定値として設定されているシャッター速度と絞り値とで得られる露出と同等の露出となるように撮像部４０又は画像処理部４１の処理の際に、撮像画像信号（ファインダ内表示用画像）のゲインアップ等の処理を行う。これにより、ユーザーは被写界深度や露出等の確認を行いながら被写体構図の変更、確認も行うことができる。また、被写体が暗く光学ファインダでの確認が困難な場合であっても、デジタルプレビューにより被写界深度や露出等の確認を行いながら被写体構図の変更、確認も可能である。
【００５１】
なお、上記のクイックリターンミラー２１の代わりにハーフミラーを用いて静止画によるデジタルプレビューを行う場合は、重畳装置へ入射する撮像レンズからの被写体光束を遮光する遮光部材を設ける。遮光部材としては、ＰＮ液晶等の液晶装置や、絞りやシャッター等の物理的な遮光部材等で良い。
【００５２】
以上、本発明を一眼レフデジタルカメラに適用した実施の形態について説明したが、これに限るものではなく、光学式ビューファインダに重畳して撮像画像を表示することができるものであるならレンズ一体形デジタルカメラ、ビデオカメラ等の撮像装置に本発明を適用しても良い。
【図面の簡単な説明】
【００５３】
【図１】デジタルカメラ１の斜視図
【図２】デジタルカメラ１の正面図
【図３】デジタルカメラ１の断面図
【図４】重畳部材１００の縦断面図
【図５】デジタルカメラ１のブロック図
【図６】デジタルカメラ１の基本処理フロー図
【図７】撮影モード処理のフロー図
【図８】撮影処理のフロー図
【図９】被写体像撮像領域とファインダ表示
【図１０】プレビュー処理のフロー図
【図１１】動画プレビュー処理のフロー図
【符号の説明】
【００５４】
１  デジタルカメラ
２  交換レンズ
１０  カメラボディ
１１  レリーズ釦
１２  上面液晶
１３  露出モードダイアル
１４  プレビュー釦
１５  ファインダ窓
１６  コマンドダイアル
１７  十字キー
１８  背面液晶
２０  レンズマウント
２１  クイックリターンミラー
２２  フォーカシングスクリーン
２３  ペンタプリズム
２４  接眼光学系
２５  撮像素子
２６  測光装置
２７  絞り駆動装置
３０  制御部
４０  撮像部
４１  画像処理装置
４２  測光部
４３  露出制御部
４４  ミラー駆動部
４５  絞り駆動部
４６  ROM
４７  RAM
４８  EEPROM
４９  外部記憶媒体
５０  タイマー装置
５１  背面表示部
５２  上面表示部
５３  ファインダ内表示部
５４  操作部
６０  撮像被写体像領域
６１  ＯＶＦ視野領域
６２  ファインダ内表示領域
１００  重畳部材
１０１  平行平面光学部材
１０２  ファインダ内表示用液晶
１０３  １／４波長板
１０４  反射集光部材
【図１】
2006245826.tif 000003
【図２】
2006245826.tif 000004
【図３】
2006245826.tif 000005
【図４】
2006245826.tif 000006
【図５】
2006245826.tif 000007
【図６】
2006245826.tif 000008
【図７】
2006245826.tif 000009
【図８】
2006245826.tif 000010
【図９】
2006245826.tif 000011
【図１０】
2006245826.tif 000012
【図１１】
2006245826.tif 000013